(57)【要約】【課題】冊子原稿の見開き部分の全ページ数が４ｎ＋２でない場合でも、原稿とその複写物である丁合した記録媒体群とのページ配置を一致させることができる画像形成装置を提供する。【解決手段】画像形成装置１０は、画像読取部１０９及び画像記録部１１０を備える。画像読取部１０９は、冊子原稿の見開き部分を順次読み取り、冊子原稿の見開き部分の各ページの画像データからなる画像データ群を生成する。画像記録部１０９は、記録媒体群ＲＭとして、第１記録媒体ＲＭ１と、第１記録媒体ＲＭ１の半分のサイズの第２記録媒体ＲＭ２とを用い、丁合した場合のページ配置が冊子原稿と一致するように、第１記録媒体ＲＭ１の表面及び裏面の各々に冊子原稿ＢＤの２ページ分に相当する画像を集約して記録し、第２記録媒体ＲＭ２の表面及び裏面の各々に冊子原稿ＢＤの１ページ分に相当する画像を記録する。【選択図】図２
2006332818.tif 000002
【特許請求の範囲】
【請求項１】
冊子原稿から記録媒体群への複写を行う画像形成装置であって、
前記冊子原稿の見開き部分を順次読み取り、前記冊子原稿の見開き部分の各ページの画像データからなる画像データ群を生成する読取手段と、
丁合した場合のページ配置が前記冊子原稿と一致するように、前記画像データ群に基づく画像を前記記録媒体群へ視認可能に記録する記録手段と、
を備え、
前記記録媒体群として、第１記録媒体と、前記第１記録媒体の半分のサイズの第２記録媒体とを使用し、
前記第１記録媒体の表面及び裏面の各々に前記冊子原稿の２ページ分に相当する画像を記録し、前記第２記録媒体の表面及び裏面の各々に前記冊子原稿の１ページ分に相当する画像を記録する第１複写処理を実行可能であることを特徴とする画像形成装置。
【請求項２】
請求項１に記載の画像形成装置において、
読み取った見開き部分の全ページ数が４ｎ＋２（ｎは自然数）でない場合に前記第１複写処理を実行することを特徴とする画像形成装置。
【請求項３】
請求項１又は請求項２に記載の画像形成装置において、
前記第２記録媒体を使用できない場合に、
分割の目安となる切取線を前記第一記録媒体に形成し、当該切取線によって分割される前記第一記録媒体の２つの部分の一方を前記第２記録媒体の代替記録媒体として使用することを特徴とする画像形成装置。
【請求項４】
請求項１ないし請求項３のいずれかに記載の画像形成装置において、さらに、
前記記録媒体群として、前記第１記録媒体のみを使用し、
前記第１記録媒体の表面及び裏面の各々に前記冊子原稿の２ページ分に相当する画像を記録する第２複写処理を実行可能であることを特徴とする画像形成装置。
【請求項５】
請求項４に記載の画像形成装置において、
読み取った見開き部分の全ページ数が４ｎ＋２（ｎは自然数）である場合に前記第２複写処理を実行することを特徴とする画像形成装置。
【請求項６】
請求項１ないし請求項５のいずれかに記載の画像形成装置において、
前記読取手段が、さらに、前記冊子原稿の表紙を読み取り、前記冊子原稿の表紙の表紙画像データを生成し、
前記記録手段が、前記表紙画像データに基づく画像を前記記録媒体群へ視認可能に記録することを特徴とする画像形成装置。
【発明の詳細な説明】
【技術分野】
【０００１】
本発明は、冊子原稿から記録媒体群への複写を行う画像形成装置に関する。
【背景技術】
【０００２】
従来、ＭＦＰ（Multi Function Peripherals）等の画像形成装置を用いて冊子原稿から記録媒体群への複写を行う場合、冊子原稿の見開き部分の左右のページをそのまま１枚の記録媒体へ複写していた。あるいは、冊子原稿から記録媒体群への複写を行う場合に、冊子原稿の見開き部分の左右のページを別々の記録媒体へ複写する「ページ連写」と呼ばれる機能を実装した画像形成装置も用いられている。また、これらの画像形成装置では、冊子原稿とその複写物である記録媒体群とのページ配置を一致させることができないという問題があるため、冊子原稿とその複写物とのページ配置を一致させることができるようにした画像形成装置も検討されている（例えば、特許文献１）。
【０００３】
【特許文献１】特開平１１−１９１８３８号公報
【発明の開示】
【発明が解決しようとする課題】
【０００４】
しかし、特許文献１の画像形成装置では、冊子原稿の見開き部分の全ページ数が４ｎ＋２（ｎは自然数）でない場合、原稿とその複写物とのページ配置を一致させることができないという問題がある。
【０００５】
本発明は、この問題を解決するためになされたもので、冊子原稿の見開き部分の全ページ数が４ｎ＋２でない場合でも、原稿とその複写物である丁合した記録媒体群とのページ配置を一致させることができる画像形成装置を提供することを目的とする。
【課題を解決するための手段】
【０００６】
上記課題を解決するため、請求項１の発明は、冊子原稿から記録媒体群への複写を行う画像形成装置であって、前記冊子原稿の見開き部分を順次読み取り、前記冊子原稿の見開き部分の各ページの画像データからなる画像データ群を生成する読取手段と、丁合した場合のページ配置が前記冊子原稿と一致するように、前記画像データ群に基づく画像を前記記録媒体群へ視認可能に記録する記録手段とを備え、前記記録媒体群として、第１記録媒体と、前記第１記録媒体の半分のサイズの第２記録媒体とを使用し、前記第１記録媒体の表面及び裏面の各々に前記冊子原稿の２ページ分に相当する画像を記録し、前記第２記録媒体の表面及び裏面の各々に前記冊子原稿の１ページ分に相当する画像を記録する第１複写処理を実行可能である。
【０００７】
請求項２の発明は、請求項１に記載の画像形成装置において、読み取った見開き部分の全ページ数が４ｎ＋２（ｎは自然数）でない場合に前記第１複写処理を実行する。
【０００８】
請求項３の発明は、請求項１又は請求項２に記載の画像形成装置において、前記第２記録媒体を使用できない場合に、分割の目安となる切取線を前記第一記録媒体に形成し、当該切取線によって分割される前記第一記録媒体の２つの部分の一方を前記第２記録媒体の代替記録媒体として使用する。
【０００９】
請求項４の発明は、請求項１ないし請求項３のいずれかに記載の画像形成装置において、さらに、前記記録媒体群として、前記第１記録媒体のみを使用し、前記第１記録媒体の表面及び裏面の各々に前記冊子原稿の２ページ分に相当する画像を記録する第２複写処理を実行可能である。
【００１０】
請求項５の発明は、請求項４に記載の画像形成装置において、読み取った見開き部分の全ページ数が４ｎ＋２（ｎは自然数）である場合に前記第２複写処理を実行する。
【００１１】
請求項６の発明は、請求項１ないし請求項５のいずれかに記載の画像形成装置において、前記読取手段が、さらに、前記冊子原稿の表紙を読み取り、前記冊子原稿の表紙の表紙画像データを生成し、前記記録手段が、前記表紙画像データに基づく画像を前記記録媒体群へ視認可能に記録する。
【発明の効果】
【００１２】
請求項１ないし請求項６の発明によれば、読み取った見開き部分の全ページ数が４ｎ＋２（ｎは自然数）でない場合にも、冊子原稿と丁合した記録媒体群とのページ配置を一致させることができる。
【００１３】
請求項３の発明によれば、第２記録媒体を使用できない場合でも、冊子原稿と丁合した記録媒体群とのページ配置を一致させることができる。
【００１４】
請求項４又は請求項５の発明によれば、読み取った見開き部分の全ページ数に関わらず、冊子原稿と丁合した記録媒体群とのページ配置を一致させることができる。
【００１５】
請求項６の発明によれば、記録媒体群に表紙画像を付加することができる。
【発明を実施するための最良の形態】
【００１６】
＜１．構成＞
図１は、本発明の実施形態に係る画像形成装置１０の構成を示すブロック図である。画像形成装置１０は、プリンタ機能、スキャナ機能、ファクシミリ機能及びコピー機能を有するデジタル複合機であり、複数枚の原稿を冊子状に綴じた冊子原稿（「ブック原稿」とも呼ばれる）から記録媒体群への複写を冊子コピーモードにおいて行うことができる。
【００１７】
図１に示すように、画像形成装置１０は、ＭＰＵ（マイクロプロセッサ；MicroProcessor Unit）１０１、ＲＯＭ１０２及びＲＡＭ１０３を備える。ＭＰＵ１０１、ＲＯＭ１０２及びＲＡＭ１０３によって実現されるコンピュータは、ＲＯＭ１０２に格納されたプログラムを実行することにより、画像形成装置１０の各構成を統括制御し、画像形成装置１０の各種機能を実現している。また、大容量記憶装置であるハードディスクドライブ（ＨＤＤ）１０４は、画像データ等の記憶に用いられる。
【００１８】
また、画像形成装置１０は、画像読取部１０９及び画像記録部１１０を備える。
【００１９】
画像読取部１０９は、ＣＣＤ（Charge Coupled Device）イメージセンサ等により原稿を読み取り、当該原稿の画像データを生成する。画像読取部１０９が生成した画像データは、ハードディスクドライブ１０４に記憶させられる。画像読取部１０９は、ＡＤＦ（Automatic Document Feeder）方式又はＦＢＳ（Flat Bed Scanner）方式により原稿を読み取ることができる。
【００２０】
画像記録部１１０は、電子写真方式により、画像データに基づく画像を、記録用紙等の記録媒体に視認可能に記録（プリント）して排出する。画像記録部１１０は、記録媒体の表裏両面に記録可能である。例えば、画像記録部１１０は、記録媒体の表面に画像を記録した後、当該記録媒体の表裏向きを変えて再度記録位置を通過させることにより、記録媒体の裏面に記録を行い、その結果、記録媒体の表裏両面に記録して排出することができる。
【００２１】
この画像形成装置１０では、画像読取部１０９が、冊子原稿の見開き部分をＦＢＳ方式により読み取り、生成した画像データをハードディスクドライブ１０４に記憶させ、画像記録部１１０が、ハードディスクドライブ１０４に記憶された画像データに基づく画像を記録媒体群に視認可能に記録することにより、冊子原稿から記録媒体群への複写を行っている。
【００２２】
画像形成装置１０には、ユーザインターフェースとして、操作部１１１及び表示部１１２が設けられる。操作部１１１は、メカニカルスイッチ等の操作者の操作を検出可能な部材を含んで構成され、表示部１１２は、液晶ディスプレイ等の表示用の部材を含んで構成される。なお、表示部１１２を液晶タッチパネルディスプレイ等で構成して、表示部１１２が操作部１１１の一部又は全部の機能を兼ね備えるようにしてもよい。
【００２３】
ネットワークインターフェースカード（ＮＩＣ）１０６は、例えば、イーサネット（登録商標）により、画像形成装置１０をネットワーク３０に接続する。
【００２４】
ＮＣＵ（網制御装置；Network Control Unit）１０７及びＭＯＤＥＭ（モデム；MOdulator DEModulator）１０８は、一般公衆電話網を経由した画像データの送受信に用いられる。ＮＣＵ１０７は、一般公衆電話網への接続を制御する。ＮＣＵ１０７は、通信先の電話番号に対応したダイヤル信号を送出する機能及び着信を検出する機能を備える。ＭＯＤＥＭ１０８は、ＩＴＵ（国際電気通信連合）−Ｔ勧告Ｔ.３０にしたがったファクシミリ伝送制御手順に基づいて、Ｖ．１７，Ｖ．２７ｔｅｒ，Ｖ．２９等にしたがった送信データの変調及び受信データの復調を行う。又は、ＭＯＤＥＭ１０８は、これらに加えて、Ｖ．３４にしたがった送信データの変調及び受信データの復調を行う。ＭＯＤＥＭ１０８によって変調された送信データは、ＮＣＵ１０７を経由して一般公衆電話網へ送出される。また、ＭＯＤＥＭ１０８が復調を行う受信データは、ＮＣＵ１０７を経由して一般公衆電話網から与えられる。
【００２５】
＜２．複写処理について＞
画像形成装置１０は、冊子原稿の複写物である記録媒体群を丁合した場合のページ配置が冊子原稿と一致するような複写処理を行う。このような複写処理を可能ならしめるため、画像読取部１０９は、冊子原稿の見開き部分を読み取る場合に、見開き部分に含まれる２ページ（典型的には、左ページと右ページ）の各ページの画像データを分離して生成するように構成される。これにより、画像形成装置１０では、冊子原稿の全ての見開き部分を画像読取部１０９に順次セットして読み取らせる操作を操作者が行うと、冊子原稿の全ての見開き部分の各ページの画像データからなる画像データ群が生成され、ハードディスクドライブ１０４に記憶される。
【００２６】
見開き部分に含まれる２ページの各ページの画像データの生成についてより詳細に説明すると、画像読取部１０９は、セットされた冊子原稿の見開き部分のサイズを検出した後に、検出したサイズの領域を等分割して得られる２つの領域を別々に読み取って、２ページ分の画像データを生成する。あるいは、画像読取部１０９は、セットされた冊子原稿の見開き部分のサイズを検出した後に、検出したサイズの領域を読み取って１つの画像データを生成し、画像分割処理により、２ページ分の画像データを生成する。なお、見開き部分の中の「のど」を検出して、２つの領域への分割又は画像分割処理をより正確に行うようにしてもよい。
【００２７】
＜２．１  表紙画像を付加しない場合＞
以下では、表紙画像を付加しない場合の複写処理について、読み取った見開き部分の全ページ数（以下では、単に「全ページ数」とも称する）が４ｎ＋２でない場合と４ｎ＋２である場合とに分けて説明する（ｎは自然数）。
【００２８】
○全ページ数が４ｎ＋２でない場合；
図２は、記録媒体群に表紙画像を付加せず、全ページ数（表紙を除く）が４ｎ＋２でない場合の複写処理（以下では、「第１複写処理」とも称する）を説明する図である。以下では、全ページ数が「８」である場合を例とした図２を参照しながら説明を進めるが、全ページ数が「４」「１２」「１６」「２０」・・・等の場合にも、画像形成装置１０において同様の第１複写処理が行われることは言うまでもない。
【００２９】
第１複写処理においては、画像記録部１０９は、記録媒体群ＲＭとして、操作部１１１を用いて操作者が指定したサイズの記録媒体（以下では、「第１記録媒体」とも称する）ＲＭ１と、第１記録媒体ＲＭ１の半分のサイズの記録媒体（以下では、「第２記録媒体」とも称する）ＲＭ２とを用いる。第２記録媒体ＲＭ２のサイズは、第１記録媒体ＲＭ１を丁合時と同様に２つ折りした場合のサイズと一致しており、例えば、第１記録媒体ＲＭ１がＢ４の記録用紙ならば、第２記録媒体ＲＭ２はＢ５の記録用紙である。すなわち、第２記録媒体ＲＭ２の長辺の長さは、第１記録媒体ＲＭ１の短辺の長さと一致しており、第２記録媒体ＲＭ２の短辺の長さは、第１記録媒体ＲＭ１の長辺の長さの半分となっている。
【００３０】
なお、第１記録媒体ＲＭ１のサイズを操作者が指定するのに代えて、画像読取部１０９が検出した冊子原稿ＢＤの見開き部分のサイズに基づいて第１記録媒体ＲＭ１のサイズを決定してもよい。
【００３１】
第１複写処理においては、画像記録部１０９は、表紙となるべき面ＣＶを除く第１記録媒体ＲＭ１の表面及び裏面の各々に冊子原稿ＢＤの２ページ分に相当する画像を集約して記録し、第２記録媒体ＲＭ２の表面及び裏面の各々に冊子原稿ＢＤの１ページ分に相当する画像を記録する。より具体的には、画像記録部１０９は、冊子原稿ＢＤの中央の２ページ以外のページに対応する画像を、表紙となるべき面ＣＶを除く第１記録媒体ＲＭ１の表面及び裏面の各々に２ページ分ずつ集約して記録し、冊子原稿ＢＤの中央の２ページに対応する画像を、第２記録媒体ＲＭ２の表面及び裏面の各々に１ページ分づつ記録する。また、第１複写処理においては、第１記録媒体ＲＭ１の表紙となるべき面ＣＶは、何も記録されず白紙のままとなる。
【００３２】
先述したように、画像形成装置１０では、冊子原稿ＢＤの全ての見開き部分を画像読取部１０９に順次セットして読み取らせる操作を操作者が行うと、冊子原稿ＢＤの全ての見開き部分の各ページの画像データからなる画像データ群ＩＤがハードディスクドライブ１０４に記憶された状態となるが、記録媒体群ＲＭを丁合した場合のページ配置を冊子原稿ＢＤと一致させるために、画像記録部１０９による記録媒体群ＲＭへの記録に先立って、ハードディスクドライブ１０４に記憶された画像データ群ＩＤの並び替え及びページ合成が行われる。
【００３３】
より詳しくは、画像形成装置１０のＭＰＵ１０１、ＲＯＭ１０２及びＲＡＭ１０３によって実現されるコンピュータは、冊子原稿ＢＤのページ順に配列された画像データ群ＩＤの順を並び替え、同一の第１記録媒体ＲＭ１の同一面に記録される画像データをページ合成する。この並び替え及びページ合成は、並び替え及びページ合成を行った後の画像データ群ＩＤを記録した記録媒体群ＲＭを画像記録部１１０から順次排出したものを並び替えずにそのまま丁合しても、冊子原稿ＢＤと丁合した記録媒体群ＲＭとのページ配置が一致した状態となるように行われる。ここで、記録媒体群ＲＭの丁合は、２つ折りした第１記録媒体ＲＭ１と折りを入れない第２記録媒体ＲＭ２とを画像記録部１１０から排出された順序のまま重ね合わせることを前提としている。
【００３４】
加えて、画像形成装置１０は、用紙切れ等の理由により、第１記録媒体ＲＭ１の半分のサイズの第２記録媒体ＲＭ２を使用できない場合に、第１記録媒体ＲＭ１を第２記録媒体ＲＭ２の代替記録媒体ＡＬとして使用することもできる。この場合、第１記録媒体ＲＭ１には、分割の目安となる切取線ＣＬが丁合時の折り位置に形成され、当該切取線ＣＬによって分割される第１記録媒体ＲＭ１の２つの部分の一方が第２記録媒体ＲＭ２の代替記録媒体ＡＬとして使用される。この機能により、画像形成装置１０では、第２記録媒体ＲＭ２を使用できない場合でも、冊子原稿ＢＤと丁合した記録媒体群ＲＭとのページ配置を一致させることができる。
【００３５】
○全ページ数が４ｎ＋２である場合；
図３は、記録媒体群に表紙画像を付加せず、全ページ数（拍子を除く）が４ｎ＋２である場合の複写処理（以下では、「第２複写処理」とも称する）を説明する図である。以下では、全ページ数が「６」である場合を例とした図３を参照しながら説明を進めるが、全ページ数が「１０」「１４」「２８」・・・等の場合にも、画像形成装置１０において同様の第２複写処理が行われることは勿論である。
【００３６】
第２複写処理においては、画像記録部１０９は、記録媒体群ＲＭとして、第１記録媒体ＲＭ１のみを用いる。
【００３７】
第２複写処理においては、画像記録部１０９は、表紙となるべき面ＣＶを除く第１記録媒体ＲＭ１の表面及び裏面の各々に冊子原稿ＢＤの２ページ分に相当する画像を集約して記録する。また、第２複写処理においても、第１記録媒体ＲＭ１の表紙となるべき面ＣＶは、何も記録されず白紙のままとなる。
【００３８】
また、第２複写処理においても、第１複写処理と同様に、記録媒体群ＲＭを丁合した場合のページ配置を冊子原稿ＢＤと一致させるために、画像記録部１０９による記録媒体群ＲＭへの記録に先立って、ハードディスクドライブ１０４に記憶された画像データ群ＩＤの並び替え及びページ合成が行われる。この場合、記録媒体群ＲＭの丁合は、２つ折りした第１記録媒体ＲＭ１を画像記録部１１０から排出された順序のまま重ね合わせることを前提としている。
【００３９】
画像形成装置１０において、第１複写処理に加えて、第２複写処理を実行可能とすることにより、全ページ数に関わらず、冊子原稿ＢＤと丁合した記録媒体群ＲＭとのページ配置を一致させることができる。
【００４０】
＜２．２  表紙画像を付加する場合＞
先述の第１複写処理及び第２複写処理においては、第１記録媒体ＲＭ１の表紙となるべき面ＣＶは、何も記録されず白紙のままであったが、表紙画像を付加する場合、図４及び図５に示すように、画像読取部１０９が、さらに、冊子原稿ＢＤの表紙を読み取り、冊子原稿ＢＤの表表紙及び裏表紙の画像データＣＩＤをも生成してハードディスクドライブ１０４に記憶させ、画像記録部１１０が、ハードディスクドライブ１０４に格納された表表紙及び裏表紙の画像データＣＩＤに基づく表紙画像をも第１記録媒体ＲＭ１の表紙となるべき面ＣＶに記録する。これにより、画像形成装置１０では、記録媒体群ＲＭに表紙画像を付加することができるようになる。
【００４１】
なお、画像形成装置１０では、表紙画像の付加の有無は、操作部１１１を用いて指定することができるようになっている。
【図面の簡単な説明】
【００４２】
【図１】本発明の実施形態に係る画像形成装置１０の構成を示すブロック図である。
【図２】記録媒体群に表紙画像を付加せず、全ページ数が４ｎ＋２でない場合の複写処理を説明する図である。
【図３】記録媒体群に表紙画像を付加せず、全ページ数が４ｎ＋２でない場合の複写処理を説明する図である。
【図４】記録媒体群に表紙画像を付加し、全ページ数が４ｎ＋２でない場合の複写処理を説明する図である。
【図５】記録媒体群に表紙画像を付加し、全ページ数が４ｎ＋２でない場合の複写処理を説明する図である。
【符号の説明】
【００４３】
１０  画像形成装置
１０４  ハードディスクドライブ
１０９  画像読取部
１１０  画像記録部
ＡＬ  代替記録媒体
ＣＬ  切取線
ＢＤ  冊子原稿
ＩＤ  画像データ群
ＲＭ  記録媒体群
ＲＭ１  第１記録媒体
ＲＭ２  第２記録媒体
【図１】
2006332818.tif 000003
【図２】
2006332818.tif 000004
【図３】
2006332818.tif 000005
【図４】
2006332818.tif 000006
【図５】
2006332818.tif 000007